(57)【要約】【課題】握力が衰えた身障者や老人などの筋力回復運動を、錘チップによる重量調整可能な手袋本体の装着によって安全かつ容易に実施可能にする。【解決手段】手袋本体１１の手背部１２の指付け根関節部から手首関節部に位置する部位に、錘テップ２５を出し入れ可能に収納保持する複数のポケット２０を形設し、手袋本体１１の掌部１３側の手首挿入部１５付近に、その手袋本体１１内に指および手を抜き差し容易にする切れ込み部１６を設け、この切れ込み部１６付近に、この切れ込み部１６を通して手袋本体１１内に指および手が差し込まれた状態でその切れ込み部１６を絞り状態に保持する絞り部材１８（フラップ）を設けた構成である。【選択図】図１
2014031604.tif 000002
【特許請求の範囲】
【請求項１】
手袋本体の手背部の指付け根関節部から手首関節部に位置する部位に、錘チップを出し入れ可能に収納保持する複数のポケットを形設し、前記手袋本体の掌側の手首部付近に、その手袋本体内に指および手を抜き差し容易にする切れ込み部を設け、この切れ込み部付近に、この切れ込み部を通して手袋本体内に指および手が差し込まれた状態でその切れ込み部を絞り状態に保持する絞り部材を設けたことを特徴とする運動補助用具。
【請求項２】
前記ポケットは、袋状に３本形成されていることを特徴とする請求項１に記載の運動補助用具。
【請求項３】
前記ポケットは、袋状に６本形成されていることを特徴とする請求項１に記載の運動補助用具。
【発明の詳細な説明】
【技術分野】
【０００１】  本発明は、手首、肘、腕の筋力回復訓練や筋力増進運動に用いる運動補助用具に関するものである。
【背景技術】
【０００２】  従来から、手首、肘、腕（上腕および前腕）などの筋肉強化訓練をするために、ダンベルが広く用いられている。このダンベルは人が手で握って保持できる所定のサイズ、形状、重量を持ち、鉛、真鍮ステンレス鋼、鉄等の比較的比重の大きい金属材料により作られている（例えば、特許文献１参照）。このダンベルの中には、使用中の落下による危険や損傷等を考慮して、今日では手が滑りにくい皮革、布地、合成皮革などのシート材で覆ったものも提供されるにおよんでいる。【０００３】  一方、ダンベルによる筋力強化訓練が、単に健常者の筋肉増強や運動機能向上、例えばジョギングや柔軟体操の運動機能向上のためのほか、今日では、握力が衰えた身障者や老人などの筋力回復のために、医療分野等においても広く実施されるようになっている。【０００４】  ところが、握力が衰えた身障者や老人はそのような重量のダンベルを手で握ること自体不可能な場合があり、そのダンベルを握ったり持ち上げたりすることができるようになるには、相当日数の訓練を積む必要がある。また、握力が衰えている前記身障者や老人（以下、訓練者という）では、訓練中に不用意にダンベルを足の上や胸元に落下させる危険性がある。このため訓練者は最新の注意を払いながらダンベルを扱う必要があるほか、付添い人や介護人は常時相当の注意を払ってその訓練を見守る必要がある。【０００５】  一方、医療や介護の分野ではないが、ゴルフプレイにおいてボールの飛距離を延ばしたり、クラブのスイング動作の強制をしたりすることを目的として、ゴルフ用手袋に複数のウエイト（錘チップ）を収納したゴルフ用手袋が提案されている（例えば、特許文献２参照）。これは、手袋の甲部に設けた袋体内に複数の超硬合金チップを収納し、これらをカバーで覆って基材に縫合したものである。かかるゴルフ用手袋を、身障者や老人などの筋力回復のために利用することも考えられる。
【先行技術文献】
【特許文献】
【０００６】
【特許文献１】特開平１１−１９２７０号公報
【特許文献２】特開平９−１０８３９６号公報
【発明の概要】
【発明が解決しようとする課題】
【０００７】  しかしながら、かかるゴルフ用手袋は、複数の超硬合金チップを収納した袋体をカバーで覆って基材に縫合した構造であるため、ゴルフ用手袋単位の重量が一定であり、訓練者の筋力に合ったウエイトの重量調整が不可能である。従って、これを身障者や老人などの筋力回復訓練にそのまま用いることができない。そのまま用いた場合には、過度の重量負荷によって筋肉を傷める場合があり、極めて好ましくない。【０００８】  本発明は上述した事情に鑑みてなされたものであり、その目的は、握力が衰えてダンベルを握ることができない身障者や老人などの訓練者等が、その訓練者自身の握力に合った最適重量の錘チップを手袋本体に着脱可能に装着することで、この錘チップが装着された手袋本体を使って安全かつ効果的に筋力回復訓練を安全に実施できる運動補助用具を提供することにある。
【課題を解決するための手段】
【０００９】  前述した目的を達成するために、本発明に係る運動補助用具は、手袋本体の手背部の指付け根関節部から手首関節部に位置する部位に、錘チップを出し入れ可能に収納保持する複数のポケットを形設し、手袋本体の掌側の手首部付近に、その手袋本体内に指および手を抜き差し容易にする切れ込み部を設け、この切れ込み部付近に、この切れ込み部を通して手袋本体内に指および手を差し込んだ状態でその切れ込み部を絞り状態に保持する絞り部材を設けたことを特徴とする。前記ポケットは、袋状に３本または６本、或いはこれより多い複数本にする場合もある。【００１０】  この構成により、ポケットの全部または一部に対して錘チップを取り出し可能に収納することで、手袋本体の重量を任意に調整することができ、しかもその収納状態は例えば受け具に対し鉤を嵌合操作するだけで開放不可状態に保持でき、錘チップが不用意にポケットから脱出したり脱落したりすることを防止できる。従って、身障者や老人などの握力の不十分な訓練者の握力に適した重量を手袋本体に付与でき、この手袋本体を前記訓練者が手および手首に装着することで、この手袋本体を介した握り（手掴み）動作によらずに、最適重量の負荷による筋力回復運動（トレーニング）を安全に実施することができる。
【発明の効果】
【００１１】  本発明によれば、握力が衰えた身障者や老人などの筋力回復運動を、錘チップによる重量調整可能な手袋本体の装着によって安全かつ容易に実施でき、主に医療分野における筋力回復訓練等に有用である。【００１２】  以上、本発明について簡潔に説明した。更に、以下に本発明を実施するための最良の形態を添付の図面を参照して詳細に説明する。
【図面の簡単な説明】
【００１３】
【図１】本発明の一実施形態による運動補助用具を示す正面図である。
【図２】図１に示す運動補助用具の背面図である。
【図３】図１に示す運動補助用具の右側面図である。
【図４】図１に示したポケットの側面図である。
【図５】図４に示したポケットが開いた状態の側面図である。
【図６】本発明の他実施形態による運動補助用具を示す正面図である。
【発明を実施するための形態】
【００１４】  以下、本発明の一実施の形態にかかる運動補助用具を図について説明する。図１乃至図３はこの運動補助具の構成を示す正面図、背面図および側面図である。同図において、この運動補助用具は、手袋本体１１の手背部（以下、甲部という）１２およびその甲部１２の背面である掌部１３のそれぞれを中心にして、その周縁に５本の親指挿入部１４ａ、人差し指挿入部１４ｂ、中指挿入部１４ｃ、薬指挿入部１４ｄおよび小指挿入部１４ｅと、手首挿入部１５とを一体に有するものからなる。ここで、各指挿入部１４ａ〜１４ｅは各指の第１関節に対応する部位より先をカットした形態をなす。これにより、カットした部分から突出する部分で各指の動きが自由となり、握力回復訓練が効果的に実施可能になる。
【００１５】  甲部１２および掌部１３は、各指挿入部１４ａ〜１４ｅおよび手首挿入部１５とともに所定形状にシート材を切り抜いて縫合することにより、周知の手袋と同様の形状に形成される。前記甲部１２、掌部１３、指挿入部１４ａ〜１４ｅおよび手首挿入部１５の形状やサイズは、手袋本体１１の使用者の手、指および手首の形状やサイズに合ったものに形成される。そのシート材としては、薄手の皮革、合成皮皮革など強靭性および柔軟性を有し、しかもある程度の摩擦抵抗を持つ材料が使用される。
【００１６】  また、親指挿入部１４ａの付け根部分より下方の位置であって、手首挿入部１５より上方の所定位置から、その手首挿入部１５端部にかけて切れ込み部１６が形成されている。この切れ込み部１６が設けられることで、手首挿入部１５端の開口部を大きく開くことができるようになっている。従って、切れ込み部１６を開きながら、前記開口部から前記各指挿入部１４ａ〜１４ｅ、甲部１２および掌部１３間、手首挿入部１５へ指、手および手首をスムースかつ容易に挿入が容易に行える。
【００１７】  甲部１２の下部に位置する手首挿入部１５にはループ状のファスナ１７が所定領域に亘って設けられている。一方、掌部１３下部に位置する手首挿入部１５には、絞り部材として手首絞りフラップ１８が一体または別部材により連設されている。このフラップ１８は前記ループ状のファスナ１７の対応位置に至るサイズ（長さおよび幅）を持つ。このフラップ１８の裏面側には略全面に亘って、図３に示すように、フック状のファスナ１９が設けられている。
【００１８】  従って、前記開口部から前記各指挿入部１４ａ〜１４ｅ、甲部１２および掌部１３間、手首挿入部１５へ指、手、手首をそれぞれ挿入した後、前記ファスナ１７に対しファスナ１９をできるだけ大きい領域で重なるように圧接させることで、前記切れ込み部１６が閉じる方向に変位し、その変位量分だけ前記手首挿入部１５が絞られる（径が縮小される）。これにより、手袋本体１１は人の手や手首に密接し、容易に位置ずれしたり、抜け落ちたりすることがなくなる。
【００１９】  また、前述の甲部１２の指付け根部から手首関節部（後述の手首挿入部に相当）に位置する部には、複数の、ここでは全部で３個のホック付きポケット２０が設けられている。これらのポケット２０は、図４に示すように、例えば皮革製で縦長の袋２１からなり、この袋２１の開口部２４にはこの開口部２４を開いたり、閉じた状態に保持したりするホック２２が設けられている。このホック２２は鉤２２ａと受け具（受け金具など）２２ｂとからなり、前記開口部２４付近の一方の対向片２３ａには鉤２２ａが、他方の対向片２３ｂにはその鉤２２ａを嵌合保持する受け具２２ｂがそれぞれ取り付けられている。掌１３側に連続する部位の指挿入部１４ｂ〜１４ｅには、これらに挿入された各指が蒸れるのを防止するための通気小孔を設けてもよい。
【００２０】  ポケット２０は、図４に示すように、鉤２２ａおよび受け具２２ｂが互いに嵌合状態にあるときは開口部２４が閉じられ、鉤２２ａおよび受け具２２ｂが互いに強制的に引き離されて、その嵌合が解除されたときは開口部２４が開かれる。これらのポケット２０は、袋２１の甲部１２に対し、縫合や締結部材による締結によって分離不可能に取り付けられている。なお、ポケット２０内への後述の錘チップの挿入を容易にするため、鉤２２ａおよび受け具２２ｂは図１〜図３に示すように、袋２１の下方に、即ち手首挿入部１５側に位置するように、袋２１が甲部１２に取り付けられている。
【００２１】  なお、前記においてはポケット２０を縦長の形態としたが、その形状やサイズ或いは設置個数は任意に選択でき、コスト上やデザイン上の都合から手袋本体１１の甲部１２自体をポケット２０の一部とすることも任意である。さらに、鉤２２ａおよび受け具２２ｂを、袋２１に対し前記とは天地逆方向に設けることは任意である。
【００２２】  図５において、符号２５は鍾チップである。この錘チップ２５は全体として形状が長方形で一定厚みおよび重量の金属板からなり、前記ポケット２０の袋２１内に収納可能なサイズをなす。この錘チップ２５は鉛、真鍮、ステンレス鋼、鉄などの、比重が７以上の金属や、超硬合金などの比重が１０以上の重金属などから成る。なお、この錘チップ２５の周面には防錆処理膜を施したり、布地、ゴムシート、プラスチックシートなどによる緩衝用被覆処理を施したりすることもできる。
【００２３】  図１〜図３は甲部１２に３個のポケッ２０を横一列に配置した手袋本体１１を示したが、図６に示すように、甲部１２に、例えば小型で長方形のポケット２０を横一列に３個ずつで、上下２列配置したものとすることもできる。錘チップ２５の小型化と使用個数の増加によって、手袋本体１１の重量を訓練者の握力に応じてより細かく調整することができる。なお、このポケット２０の設置数、サイズおよび配置パターンは上記に限らず任意に選択することができる。
【００２４】  このような構成の運動補助用具は次のようにして使用される。握力が衰えた身障者や老人などの訓練者は、この運動補助用具を用いて腕などの筋力回復の運動（訓練）を行うに当たり、先ず、自身の握力に見合った最適負荷（荷重）となる重量の複数の錘チップ２５および手袋本体１１を用意する。次に、その訓練者はその手袋本体１１の手首挿入部１５上に設けられたループ状のファスナ１７に絡み付いているフラップ１８上のフック状のファスナ９を、図３に示す矢印Ｐ方向に、そのファスナ１７から強制的に引き剥がす。
【００２５】  これにより前記切れ込み部１６の拡開が可能になり、手首挿入部１５端の開口部２４が拡張可能となる。このため、この開口部２４の拡開に伴って手首挿入部１５から前記甲部１２および掌部１３間、および指挿入部１４ａ〜１４ｅのそれぞれに手および５本の指を容易かつスムースに挿入可能になる。
【００２６】  こうして、手および指を前記甲部１２および掌部１３間、および指挿入部１４ａ〜１４ｃのそれぞれに挿入した後は、フラップ１８によって切れ込み部１６を被うように、かつ手首挿入部１５の径を絞るように当該フラップ１８を操作して、このフラップ１８のファスナ１９を手首挿入部１５上のファスナ１７に接合する。これにより手首挿入部１５は手首に密接し、手袋本体１１は手（左手）から抜けることがないように、しっかりと保持される。
【００２７】  次に、前記甲部１２上に設けられたいずれかのポケット２０の開口部２４を、受け具２２ｂから鉤２２ａを引き離すように操作することにより開き、袋２１の下部開口から予め用意された所定重量の前記錘チップ２５を袋２１内に収納する。そして、この袋２１内への錘チップ２５の収納に続いて、その開口部２４を閉じるように、受け具２２ｂに対して鉤２２ｂを圧着するように嵌合させる。これにより、錘チップ２５は袋２１内から外に脱落することなく、確実に収納される。また、かかる錘チップ２５のポケット２０への収納個数は、訓練者の握力に応じて任意に決定できる。従って、錘チップ２５を持つ手袋本体１１の重量調整を訓練者自身でも容易、迅速に行うことができる。
【００２８】  このとき、袋２１が手（左手）に装着されて手を上方へ向けた状態では、ホック２２は下方に向いた状態となるが、前記受け具２２ｂに対する鉤２２ａの嵌合によって開口部２４が開くことはない。従って、訓練者が筋力回復訓練中に手や腕を上下、左右に動かしても、袋２１内に収納された錘チップ２５は、その袋２１外に脱出したり脱落したりすることはない。前記鉤２２ａおよび受け具２２ｂどうしの係合は、周知のように堅固に維持されるため、さらに手袋本体１１を上下左右に大きく振動させたり振ったりしても、錘チップ２５は袋２１から脱出することはない。
【００２９】  一方、前記ポケット２０に収納する錘チップ２５の数を増やしたり、減らしたり、或いは重量の異なるものと交換する場合などには、受け具２２ｂから鉤２２ａを強く引き離し操作をすれば良い。これにより、開口部２４は簡単に開かれ、錘チップ２５の交換等を容易、迅速に実施できる。
【００３０】  こうして訓練者は５本の指および手を甲部１２および掌部１３間、各指挿入部１４ａ〜１４ｅのそれぞれに通し、各ファスナ１７、１９の接合による手首挿入部１５の絞りを行う。続いて、訓練者は自身の手首、腕などの筋力に応じた所定数の錘チップ２５を、開口部２４を開閉操作してポケット２０のそれぞれに１個ずつ収納する。
【００３１】  この状態で筋力回復運動をするために、手首、腕を各関節を中心とする上下、左右および回転の各方向へ動かす。かかる手首や腕の運動は錘チップ２５の荷重を受けて実施されるため、手首、腕の筋肉や関節にはその荷重が負荷され、筋力回復訓練が実施される。これにより運動機能全般の回復も期待される。即ち、従来のように、掌でダンベルを握るというような操作をすることなしで、手袋本体１１の装着により、手首、腕、関節に錘チップ２５の重量に見合った負荷を掛けることができ、筋力回復訓練を簡単に実施できる。
【００３２】  以上のように、本実施形態による運動補助用具は、手袋本体１１の手背部１２の指付け根関節部から手首関節部に位置する部位に、錘チップ２５を出し入れ可能に収納保持する複数のポケット２０を形設し、手袋本体１１の掌側１３の手首挿入部１５付近に、その手袋本体１１内に指および手を抜き差し容易にする切れ込み部１６を設け、この切れ込み部１６付近に、この切れ込み部１６を通して手袋本体１１内に指および手が差し込まれた状態でその切れ込み部１６を絞り状態に保持する絞り部材１８を設けた構成とした。
【００３３】  これにより、ポケット２０の全部または一部に対して必要個数の錘チップ２５を収納することで、手袋本体１１の重量を任意に調整、管理することができ、しかもその錘チップ２５の収納状態はホック２２を外すことにより、簡単かつ開放不可に保持できる。従って、錘チップ２５が不用意にポケット２０から脱出したり脱落したりすることを防止できる。この結果、身障者や老人など、握力が不十分な訓練者に適した重量を手袋本体１１に付与でき、この手袋本体１１を身障者や老人などが手および手首に装着することで、この手袋本体１１による握り（手掴み）動作（操作）なしで、最適負荷による筋力回復運動（トレーニング）を安全かつ適正に実施することができることとなる。
【産業上の利用可能性】
【００３４】  本発明の運動補助用具は、握力が衰えた身障者や老人などの筋力回復運動を、重量調整が自在な手袋本体の装着によって容易に実施できるという効果を有し、手首、肘、腕などの筋肉回復訓練や筋肉増進訓練に用いる運動補助用具等に有用である。
【符号の説明】
【００３５】  １１  手袋本体
１２  手背部（甲部）
１３  掌部
１４ａ  親指挿入部
１４ｂ  人差し指挿入部
１４ｃ  中指挿入部
１４ｄ  薬指挿入部
１４ｅ  小指挿入部
１５  手首挿入部
１６  切れ込み部
１７、１９  ファスナ
１８  絞り部材（手首絞りフラップ）
２０  ポケット
２１  袋
２２  ホック
２２ａ  鉤
２２ｂ  受け具
２３ａ、２３ｂ  対向片
２４  開口部
２５  錘チップ
【図１】
2014031604.tif 000003
【図２】
2014031604.tif 000004
【図３】
2014031604.tif 000005
【図４】
2014031604.tif 000006
【図５】
2014031604.tif 000007
【図６】
2014031604.tif 000008